(57)【要約】【課題】通常視聴時に故障診断できるテレビジョン装置を提供する。【解決手段】音声信号を入力し音声を出力する音声回路２０と、音声回路からの音声出力を取得するマイクロフォン５０と、マイクロフォンで取得した音声信号を記憶する記憶部１２と、音声回路の故障を診断する故障診断部１３を備えたテレビジョン装置１である。記憶部は、可聴帯域外の音声信号を基準音として音声回路に入力した際にマイクロフォンで取得した音声信号を、基準出力信号として記憶するとともに、所定のタイミングで、基準音を検査音として音声回路に入力した際にマイクロフォンで取得した音声信号を、検査出力信号として記憶する。故障診断部は、基準出力信号と検査出力信号とを比較して、音声回路の故障を診断する。【選択図】図２
2018033095.tif 000002
【特許請求の範囲】
【請求項１】
音声信号を入力し音声を出力する音声回路と、該音声回路からの音声出力を取得するマイクロフォンと、該マイクロフォンで取得した音声信号を記憶する記憶部と、前記音声回路の故障を診断する故障診断部を備えたテレビジョン装置であって、
前記記憶部は、可聴帯域外の音声信号を基準音として前記音声回路に入力した際に前記マイクロフォンで取得した音声信号を、基準出力信号として記憶するとともに、所定のタイミングで、前記基準音を検査音として前記音声回路に入力した際に前記マイクロフォンで取得した音声信号を、検査出力信号として記憶し、
前記故障診断部は、前記基準出力信号と前記検査出力信号とを比較して、前記音声回路の故障を診断することを特徴とするテレビジョン装置。
【請求項２】
前記記憶部は、前記故障診断部の診断結果を記憶することを特徴とする請求項１に記載のテレビジョン装置。
【請求項３】
前記基準出力信号は、前記テレビジョン装置の電源入力時、画質モードの変更時、前記テレビジョン装置の配置変更時のいずれかに取得することを特徴とする請求項１または２に記載のテレビジョン装置。
【請求項４】
前記所定のタイミングは、一定時間間隔またはコマーシャル放送中であることを特徴とする請求項１から３のいずれか一項に記載のテレビジョン装置。
【請求項５】
前記音声回路は直列接続された複数のサブ回路からなり、前記記憶部は、前記基準音を各前記サブ回路に入力した際に前記マイクロフォンで取得した音声信号を、前記サブ回路毎のサブ回路別基準出力信号として記憶することを特徴とする請求項１から４のいずれか一項に記載のテレビジョン装置。
【請求項６】
前記故障診断部は、前記音声回路を故障と診断した際に、前記基準音を検査音として各前記サブ回路に入力して前記マイクロフォンで取得した検査出力信号と、前記サブ回路別基準出力信号とを比較して、前記サブ回路の故障を診断することを特徴とする請求項５に記載のテレビジョン装置。
【請求項７】
外部報知部をさらに備え、前記故障診断部が前記音声回路を故障と診断した際に、外部に報知することを特徴とする請求項１から６のいずれか一項に記載のテレビジョン装置。
【発明の詳細な説明】
【技術分野】
【０００１】
本発明は、テレビジョン装置に関し、詳細には、音声信号を入力し音声を出力する音声回路と、音声回路からの音声出力を取得するマイクロフォンと、マイクロフォンで取得した音声信号を記憶する記憶部と、音声回路の故障を診断する故障診断部を備えたテレビジョン装置に関する。
【背景技術】
【０００２】
テレビジョン装置では、音響調整によって最適な視聴環境を実現するものが知られている。例えば、特許文献１には、テスト信号を用いて、視聴しながら音響調整が可能な技術が開示されている。詳しくは、テレビジョン装置がテスト信号を含む重畳信号を生成し、ユーザ所持のリモコンに出力する。リモコンがこの重畳信号をマイクロフォンで取得し、重畳信号からテスト信号を抽出した場合、テスト信号がリモコンからテレビジョン装置に送られる。テレビジョン装置では、リモコンから受け取ったテスト信号を用いて音響調整する。
【先行技術文献】
【特許文献】
【０００３】
【特許文献１】特開２０１４−８６８４７号公報
【発明の概要】
【発明が解決しようとする課題】
【０００４】
しかしながら、テレビジョン装置からは可聴帯域内（例えば２０Ｈｚ〜２０ｋＨｚ程度）の音声信号が放送される（通常視聴時ともいう）。このため、特許文献１に記載のようなテスト信号として、同じく可聴帯域内の音声信号を用いると、テレビジョン装置の音声回路から現在出ている出力信号が正常な信号なのか否かを判断できないという問題がある。
【０００５】
本発明は、上述のような実情に鑑みてなされたもので、通常視聴時に故障診断できるテレビジョン装置を提供することを目的とする。
【課題を解決するための手段】
【０００６】
上記課題を解決するために、本発明の第１の技術手段は、音声信号を入力し音声を出力する音声回路と、該音声回路からの音声出力を取得するマイクロフォンと、該マイクロフォンで取得した音声信号を記憶する記憶部と、前記音声回路の故障を診断する故障診断部を備えたテレビジョン装置であって、前記記憶部は、可聴帯域外の音声信号を基準音として前記音声回路に入力した際に前記マイクロフォンで取得した音声信号を、基準出力信号として記憶するとともに、所定のタイミングで、前記基準音を検査音として前記音声回路に入力した際に前記マイクロフォンで取得した音声信号を、検査出力信号として記憶し、前記故障診断部は、前記基準出力信号と前記検査出力信号とを比較して、前記音声回路の故障を診断することを特徴としたものである。
【０００７】
第２の技術手段は、第１の技術手段において、前記記憶部は、前記故障診断部の診断結果を記憶することを特徴としたものである。
【０００８】
第３の技術手段は、第１または第２の技術手段において、前記基準出力信号は、前記テレビジョン装置の電源入力時、画質モードの変更時、前記テレビジョン装置の配置変更時のいずれかに取得することを特徴としたものである。
【０００９】
第４の技術手段は、第１から第３のいずれか１の技術手段において、前記所定のタイミングは、一定時間間隔またはコマーシャル放送中であることを特徴としたものである。
【００１０】
第５の技術手段は、第１から第４のいずれか１の技術手段において、前記音声回路は直列接続された複数のサブ回路からなり、前記記憶部は、前記基準音を各前記サブ回路に入力した際に前記マイクロフォンで取得した音声信号を、前記サブ回路毎のサブ回路別基準出力信号として記憶することを特徴としたものである。
【００１１】
第６の技術手段は、第５の技術手段において、前記故障診断部は、前記音声回路を故障と診断した際に、前記基準音を検査音として各前記サブ回路に入力して前記マイクロフォンで取得した検査出力信号と、前記サブ回路別基準出力信号とを比較して、前記サブ回路の故障を診断することを特徴としたものである。
【００１２】
第７の技術手段は、第１から第６のいずれか１の技術手段において、外部報知部をさらに備え、前記故障診断部が前記音声回路を故障と診断した際に、外部に報知することを特徴としたものである。
【発明の効果】
【００１３】
本発明によれば、音声回路の故障を可聴帯域外の音声信号を利用して診断するので、テレビジョン装置からは可聴帯域内の音声信号が放送されていても、そのテレビジョン装置の音声回路から現在出ている出力信号が正常か否かを判断することができる。
【図面の簡単な説明】
【００１４】
【図１】本発明のテレビジョン装置の概略図である。
【図２】テレビジョン装置の構成図である。
【図３】音声回路の構成図である。
【図４】サブ回路へ可聴帯域外成分の信号を直接入力した際のスピーカ出力信号の一例を示す図である。
【図５】第１実施形態による故障診断のフローチャートである。
【図６】第１実施形態による故障診断のフローチャートである。
【発明を実施するための形態】
【００１５】
（第１実施形態）
図１は、本発明のテレビジョン装置の概略図である。テレビジョン装置１は、矩形状の表示部６０を有する。表示部６０は、例えば、液晶表示装置であり、液晶層やガラス基板などを有した矩形のＬＣＤ（Liquid Crystal Display）パネルや、ＬＥＤを導光板の例えば側方に並べたエッジライト型で構成されたバックライト等を備えている。
【００１６】
表示部６０の下方であって左右両端には内蔵スピーカ４０がそれぞれ設置されている。内蔵スピーカ４０からは、可聴帯域内（例えば２０Ｈｚ〜２０ｋＨｚ程度）の音声信号を出力でき、また、後述のように、可聴帯域外（例えば、２０Ｈｚ未満、２０ｋＨｚ超）の音声信号も出力できる。
【００１７】
テレビジョン装置１は内蔵マイク５０を有している。内蔵マイク５０は、例えば内蔵スピーカ４０の中間位置に設置され、内蔵スピーカ４０から出力された可聴帯域外の音声信号を取得できる。なお、内蔵マイク５０が本発明のマイクロフォンに相当する。
【００１８】
図２は、テレビジョン装置の構成図である。テレビジョン装置１は、内蔵スピーカ４０、内蔵マイク５０、表示部６０に加え、制御部１０、音声回路２０、増幅器３０を有する。
制御部１０は、通信部１６を介して外部機器やリモコン（図示省略）と通信可能に構成されている。
【００１９】
制御部１０は、例えば、１あるいは複数個のＣＰＵ（Central Processing Unit）等からなり、記憶部１２の例えば、ＲＯＭに格納されている各種のプログラムやデータをＲＡＭにロードし、このロードしたＲＡＭ内のプログラムを実行する。これにより、データを処理しつつ、ユーザからの指示内容等に基づいてテレビジョン装置１の全体の動作を制御する。
【００２０】
また、制御部１０は、記憶部１２や通信部１６の他、可聴帯域外信号生成部１１、故障診断部１３、基準音・検査音入力部１４、外部報知部１５を有している。
可聴帯域外信号生成部１１は、可聴帯域外（例えば、２０Ｈｚ未満、２０ｋＨｚ超）の音声信号を生成する。この生成された音声信号は基準音・検査音入力部１４に出力される。
【００２１】
基準音・検査音入力部１４は、この生成された音声信号を音声回路２０に送るが、図３で後述するサブ回路毎に送ることが可能である。なお、音声回路２０からの音声は、増幅器３０で増幅されて内蔵スピーカ４０から出力される。
この内蔵スピーカ４０から出力された音声信号は、内蔵マイク５０で取得され、記憶部１２に記憶される。詳しくは、記憶部１２には、基準出力信号、検査出力信号、サブ回路別基準出力信号、サブ回路別検査出力信号として記憶される。
【００２２】
基準出力信号は、音声回路２０の故障診断の前（例えば、テレビジョン装置１の起動時など、トレーニング時ともいう）に、可聴帯域外の音声信号を基準音として音声回路２０（例えば図３で説明するＨＰＦ２０ａの上流側）に入力した際に音声信号（可聴帯域内）に重畳され、内蔵マイク５０で取得したデータの可聴帯域外成分のみを抽出（抜き出）した音声信号である。一方、検査出力信号は、所定のタイミング（例えば一定時間間隔またはコマーシャル放送中など）における基準音を検査音として音声回路２０（例えば図３で説明するＨＰＦ２０ａの上流側）に入力した際に音声信号（可聴帯域内）に重畳され、内蔵マイク５０で取得したデータの可聴帯域外成分のみを抽出した音声信号である。サブ回路別基準出力信号、サブ回路別検査出力信号については後述する。
【００２３】
故障診断部１３は、これら基準出力信号と検査出力信号とを比較し、音声回路２０の故障を診断する。故障診断部１３の診断結果は、記憶部１２に記憶される。なお、診断結果とともに、オーディオ信号の伝送に利用される標準的なデジタル伝送フォーマット（Ｉ2Ｓデータ）も記憶部１２に記憶される。
また、故障診断部１３の診断結果は外部報知部１５に送られる。外部報知部１５は、故障診断部１３の診断結果に基づいて音声回路２０の故障を表示部６０や外部機器に通知する。
【００２４】
図３は、音声回路の構成図であり、図４は、サブ回路へ可聴帯域外成分の信号を直接入力した際のスピーカ出力信号の一例を示す図である。
図３に示すように、音声回路２０は、信号をデジタル処理可能に構成され（ＤＳＰ：Digital Signal Processor）、複数のサブ回路、例えば、ＨＰＦ（High Pass Filter）２０ａ、Ｌｉｍｉｔｔｅｒ２０ｂ、ＤＲＣ２０ｃ、Ｂａｓｓ，Ｔｒｅｂｌｅ２０ｄ、Ｓｕｒｒｏｕｎｄ２０ｅ、Ｖｏｌｕｍｅ２０ｆが直列接続されている。
【００２５】
ＨＰＦ２０ａでは高音域を再生するために機能する。また、Ｌｉｍｉｔｔｅｒ２０ｂでは振幅を制限するために、ＤＲＣ２０ｃではダイナミックレンジ圧縮するために、Ｂａｓｓ，Ｔｒｅｂｌｅ２０ｄでは低音や高温を調整するために、Ｓｕｒｒｏｕｎｄ２０ｅではサラウンド音声を出力するために、Ｖｏｌｕｍｅ２０ｆでは音量を調整するためにそれぞれ機能する。
【００２６】
制御部１０（図２で説明した基準音・検査音入力部１４）からの可聴帯域外の音声信号（基準音）は、サブ回路毎、つまり、ＨＰＦ２０ａ、Ｌｉｍｉｔｔｅｒ２０ｂ、ＤＲＣ２０ｃ、Ｂａｓｓ，Ｔｒｅｂｌｅ２０ｄ、Ｓｕｒｒｏｕｎｄ２０ｅ、Ｖｏｌｕｍｅ２０ｆのブロック毎に入力できる。
サブ回路別基準出力信号は、音声回路２０の故障診断の前に、基準音を上記サブ回路毎に入力した際に音声信号（可聴帯域内）に重畳され、内蔵マイク５０で取得したデータの可聴帯域外成分のみを抽出した音声信号である。
【００２７】
より具体的には、サブ回路別基準出力信号は、基準音をＨＰＦ２０ａの上流側に入力した場合、例えば、図４にＡで示すような波形である。基準音をＬｉｍｉｔｔｅｒ２０ｂの上流側に入力した場合、例えば図４にＢで示すような波形であり、基準音をＤＲＣ２０ｃの上流側に入力した場合、例えば図４にＣで示すような波形である。また、基準音をＢａｓｓ，Ｔｒｅｂｌｅ２０ｄの上流側に入力した場合、例えば図４にＤで示すような波形であり、基準音をＳｕｒｒｏｕｎｄ２０ｅの上流側に入力した場合、例えば図４にＥで示すような波形である。また、基準音をＶｏｌｕｍｅ２０ｆの上流側に入力した場合、例えば図４にＦで示すような波形である。各サブ回路別基準出力信号は記憶部１２に記憶される。
【００２８】
なお、Ｖｏｌｕｍｅ２０ｆの下流側に入力する場合には、増幅器３０および内蔵スピーカ４０用の基準出力信号がある。
サブ回路別検査出力信号は、音声回路２０が故障と診断された場合に、基準音を検査音として上記サブ回路毎に入力した際に音声信号（可聴帯域内）に重畳され、内蔵マイク５０で取得したデータの可聴帯域外成分のみを抽出した音声信号である。図２に示した故障診断部１３は、上述のサブ回路別基準出力信号とサブ回路別検査出力信号とを比較し、音声回路２０のどのブロックが故障しているかを診断できる。
【００２９】
図５，６は、第１実施形態による故障診断のフローチャートである。
なお、図１で説明した内蔵スピーカ４０は左右に設置されているため、まず、例えば右側の内蔵スピーカ４０をトレーニングした後、左側の内蔵スピーカ４０をトレーニングする。
詳しくは、テレビジョン装置１の電源をＯＮにすると（図５のステップＳ１）、基準音・検査音入力部１４が可聴帯域外の音声信号（基準音）を音声回路２０の最上流（ＨＰＦ２０ａの上流側）に入力し、重畳信号を内蔵マイク５０で取得する（ステップＳ２）。
【００３０】
例えば、基準音をＨＰＦ２０ａの上流側に入力すると、この基準音に音声信号（可聴帯域内）を重畳した信号はＨＰＦ２０ａ、Ｌｉｍｉｔｔｅｒ２０ｂ、ＤＲＣ２０ｃ、Ｂａｓｓ，Ｔｒｅｂｌｅ２０ｄ、Ｓｕｒｒｏｕｎｄ２０ｅ、Ｖｏｌｕｍｅ２０ｆの各ブロックを経由し、この信号による音声が内蔵スピーカ４０から出力される。内蔵マイク５０で取得した音声データは制御部１０に送られ、その可聴帯域外成分のみを抽出し、基準出力信号として記憶部１２に記憶する（ステップＳ３）。なお、この基準出力信号は、ＨＰＦ２０ａの上流側に入力されるサブ回路別基準出力信号（図４のＡ）にも該当する。
【００３１】
次に、基準音・検査音入力部１４が基準音を音声回路２０のサブ回路毎（上記ステップＳ１で既に入力したＨＰＦ２０ａを除く、Ｌｉｍｉｔｔｅｒ２０ｂ、ＤＲＣ２０ｃ、Ｂａｓｓ，Ｔｒｅｂｌｅ２０ｄ、Ｓｕｒｒｏｕｎｄ２０ｅ、Ｖｏｌｕｍｅ２０ｆ）に順番に入力する（図５のステップＳ４）。
例えば、基準音をＬｉｍｉｔｔｅｒ２０ｂの上流側に入力すると、この基準音に音声信号（可聴帯域内）を重畳した信号はＬｉｍｉｔｔｅｒ２０ｂ、ＤＲＣ２０ｃ、Ｂａｓｓ，Ｔｒｅｂｌｅ２０ｄ、Ｓｕｒｒｏｕｎｄ２０ｅ、Ｖｏｌｕｍｅ２０ｆの各ブロックを経由して内蔵スピーカ４０から出力される。内蔵マイク５０で取得した音声データから可聴帯域外成分のみを抽出したサブ回路別基準出力信号（図４のＢ）を記憶部１２に記憶する（図５のステップＳ４）。
【００３２】
同様に、基準音をＤＲＣ２０ｃの上流側、Ｂａｓｓ，Ｔｒｅｂｌｅ２０ｄの上流側、Ｓｕｒｒｏｕｎｄ２０ｅの上流側、Ｖｏｌｕｍｅ２０ｆの上流側にそれぞれ入力し、取得した音声データから可聴帯域外成分のみを抽出した各サブ回路別基準出力信号（図４のＣ〜Ｆ）を記憶部１２にそれぞれ記憶する（図５のステップＳ４）。
そして、左右両側の内蔵スピーカ４０に対するサブ回路別基準出力信号の記憶が完了すると、トレーニング時からテレビジョン装置１の通常動作に移行する（ステップＳ５）。
【００３３】
ここで、テレビジョン装置１で画質モードが例えば映画に変更した場合（ステップＳ６のＹＥＳ）には、音質や画質の再設定が必要になるのでステップＳ２に戻り、左右両側の内蔵スピーカ４０に対する基準出力信号、サブ回路別基準出力信号を改めて記憶する（ステップＳ２〜Ｓ４）。
これに対し、テレビジョン装置１で画質モードが変更されていない場合（ステップＳ６のＮＯ）、テスト時になる。ただし、ユーザの視聴をできる限り妨げないようするために、例えばコマーシャル放送中に実施する。なお、まず、例えば右側の内蔵スピーカ４０をテストした後、左側の内蔵スピーカ４０をテストする。
【００３４】
詳しくは、コマーシャル放送になった場合、基準音・検査音入力部１４が可聴帯域外の音声信号を検査音として音声回路２０の最上流（ＨＰＦ２０ａの上流側）に入力し、重畳信号を内蔵マイク５０で取得する（ステップＳ７）。取得した音声データは、その可聴帯域外成分のみが抽出され、検査出力信号として記憶部１２に記憶する（ステップＳ８）。
続いて、故障診断部１３がステップＳ３の基準出力信号とステップＳ８の検査出力信号とを比較し（ステップＳ９）、例えば、ステップＳ８の検査出力信号のレベルが非常に小さくなったり、波形が途切れたりしていると判定された場合（ステップＳ１０のＹＥＳ）、音声回路２０が故障していると診断する。
なお、ステップＳ８の検査出力信号がステップＳ３の基準出力信号とほぼ同じ場合には（ステップＳ１０のＮＯ）、ステップＳ６に戻る。
【００３５】
上記のように故障診断部１３が音声回路２０の故障を診断すると、音声回路２０のどのブロックが故障しているかを診断する。
具体的には、基準音・検査音入力部１４が、検査対象ブロックを例えば最下流のブロック（図３で言えばＶｏｌｕｍｅ２０ｆ）に設定し（図６のステップＳ１１）、可聴帯域外の音声信号を検査音としてＶｏｌｕｍｅ２０ｆの上流側に入力する（図６のステップＳ１２）。
【００３６】
このＶｏｌｕｍｅ２０ｆに入力され、音声信号（可聴帯域内）に重畳されて内蔵マイク５０で取得した音声データは、その可聴帯域外成分のみが抽出され、サブ回路別（Ｖｏｌｕｍｅ２０ｆ）の検査出力信号として記憶部１２に記憶する（図６のステップＳ１３）。
そして、故障診断部１３が、図５のステップＳ４で説明したサブ回路別基準出力信号（例えば図４のＦ）とステップＳ１３のサブ回路別（Ｖｏｌｕｍｅ２０ｆ）の検査出力信号とを比較し（図６のステップＳ１４）、例えば、サブ回路別（Ｖｏｌｕｍｅ２０ｆ）の検査出力信号がサブ回路別基準出力信号（図４のＦ）と異なっていた場合には（ステップＳ１５のＹＥＳ）、Ｖｏｌｕｍｅ２０ｆが故障していると診断する。
【００３７】
続いて、Ｖｏｌｕｍｅ２０ｆが故障しているという診断結果などは記憶部１２に記憶し（図６のステップＳ１６）、この診断結果は外部報知部１５に出力される。
これにより、外部報知部１５は、例えば、テレビジョン装置１の表示部６０に、音声回路２０の故障が診断された旨や、修理付け付けの電話番号などを表示する（ステップＳ１７）。なお、映像表示の他、音で知らせてもよい。
【００３８】
一方、ステップＳ１５で、サブ回路別（Ｖｏｌｕｍｅ２０ｆ）の検査出力信号がサブ回路別基準出力信号（図４のＦ）とほぼ同じであった場合には（図６のステップＳ１５のＮＯ）、Ｖｏｌｕｍｅ２０ｆよりも上流側が故障しているため、ステップＳ１８に進む。
このステップＳ１８では、Ｖｏｌｕｍｅ２０ｆが故障していないという診断結果などを記憶部１２に記憶する。
【００３９】
続いて、基準音・検査音入力部１４が、検査対象ブロックを例えば１つ上流のブロック（図３で言えばＳｕｒｒｏｕｎｄ２０ｅ）に設定する（図６のステップＳ１９）。
そして、可聴帯域外の音声信号を検査音としてＳｕｒｒｏｕｎｄ２０ｅの上流側に入力し（図６のステップＳ１２）、重畳信号からその可聴帯域外成分のみを抽出したサブ回路別（Ｓｕｒｒｏｕｎｄ２０ｅ）の検査出力信号を記憶部１２に記憶する（ステップＳ１３）。
【００４０】
そして、サブ回路別基準出力信号（例えば図４のＥ）と比較した結果（図６のステップＳ１４）、サブ回路別（Ｓｕｒｒｏｕｎｄ２０ｅ）の検査出力信号がサブ回路別基準出力信号（図４のＥ）と異なっていた場合、故障診断部１３はＳｕｒｒｏｕｎｄ２０ｅの故障を診断する（ステップＳ１５のＹＥＳ）。
これに対し、サブ回路別（Ｓｕｒｒｏｕｎｄ２０ｅ）の検査出力信号がサブ回路別基準出力信号（図４のＥ）とほぼ同じであった場合（ステップＳ１５のＮＯ）、Ｓｕｒｒｏｕｎｄ２０ｅよりも上流側が故障しているため、ステップＳ１８に進む。
【００４１】
続いて、Ｓｕｒｒｏｕｎｄ２０ｅが故障していないという診断結果などを記憶部１２に記憶した後、基準音・検査音入力部１４が、検査対象ブロックを例えば１つ上流のブロック（図３で言えばＢａｓｓ，Ｔｒｅｂｌｅ２０ｄ）に設定する（図６のステップＳ１９）。
可聴帯域外の音声信号を検査音としてＢａｓｓ，Ｔｒｅｂｌｅ２０ｄの上流側に入力し（図６のステップＳ１２）、重畳信号からその可聴帯域外成分のみを抽出したサブ回路別（Ｂａｓｓ，Ｔｒｅｂｌｅ２０ｄ）の検査出力信号を記憶部１２に記憶する（ステップＳ１３）。
【００４２】
そして、サブ回路別基準出力信号（例えば図４のＤ）との比較（図６のステップＳ１４）によって、サブ回路別（Ｂａｓｓ，Ｔｒｅｂｌｅ２０ｄ）の検査出力信号がサブ回路別基準出力信号（図４のＤ）と異なっていた場合、故障診断部１３はＢａｓｓ，Ｔｒｅｂｌｅ２０ｄの故障を診断する（ステップＳ１５のＹＥＳ）。
これに対し、サブ回路別（Ｂａｓｓ，Ｔｒｅｂｌｅ２０ｄ）の検査出力信号がサブ回路別基準出力信号（図４のＤ）とほぼ同じであった場合（図６のステップＳ１５のＮＯ）、Ｂａｓｓ，Ｔｒｅｂｌｅ２０ｄよりも上流側が故障しているため、ステップＳ１８に進む。
【００４３】
以降、音声回路２０の故障しているブロックが特定されるまで、図３の例で言えばＤＲＣ２０ｃ、Ｌｉｍｉｔｔｅｒ２０ｂ、ＨＰＦ２０ａの順に、検査対象ブロックを変更し、可聴帯域外の音声信号（検査音）の入力・重畳、取得したデータからサブ回路別の検査出力信号の抽出・記憶、サブ回路別基準出力信号とサブ回路別の検査出力信号との比較を繰り返す。
【００４４】
このように、音声回路２０の故障を可聴帯域外の音声信号を利用して診断するので、テレビジョン装置１からは可聴帯域内の音声信号が放送されていても、そのテレビジョン装置１の音声回路２０から現在出ている出力信号が正常か否かを判断することができる。
また、ユーザの視聴環境における音声回路の故障には、原因不明でかつ再現性の低い故障がある。しかし、故障診断部１３の診断結果を記憶すれば、後日、テレビジョン装置の修理スタッフがユーザ宅に訪問した際に記憶した診断結果を読み出して確認することができ、この原因不明でかつ再現性の低い音声回路の故障にも容易に対応できる。
【００４５】
（第２実施形態）
上記の第１実施形態では、音声回路の故障診断結果をテレビジョン装置１の記憶部１２に記憶する例を挙げて説明した（図６のステップＳ１６，Ｓ１８）。しかし、本発明は、この例に限定されるものではなく、例えば、ネットワークを経由して音声回路の故障診断結果を通知してもよい。
【００４６】
（第３実施形態）
また、故障診断部１３が音声回路２０のどのブロックが故障しているかを診断する際に、検査対象ブロックを例えば最下流（図６のステップＳ１１）に替えて、例えば最上流のブロック（図３の例で言えばＨＰＦ２０ａよりも１つ下流のＬｉｍｉｔｔｅｒ２０ｂ）に設定することも可能である。この場合には、故障したブロックの特定は、検査対象ブロックを例えば最下流に設定した場合よりも遅くなるものの、故障したブロックを特定できる。
【００４７】
（第４実施形態）
また、上記の第１実施形態では、画質モードが変更された場合に基準出力信号を取得する例で説明したが（図５のステップＳ６）、例えば壁掛けに変更する場合のように、テレビジョン装置１の配置変更時に基準出力信号を取得してもよい。音質の再設定が必要になるからである。
【符号の説明】
【００４８】
１…テレビジョン装置、１０…制御部、１１…可聴帯域外信号生成部、１２…記憶部、１３…故障診断部、１４…基準音・検査音入力部、１５…外部報知部、１６…通信部、２０…音声回路、２０ａ…ＨＰＦ、２０ｂ…Ｌｉｍｉｔｔｅｒ、２０ｃ…ＤＲＣ、２０ｄ…Ｂａｓｓ，Ｔｒｅｂｌｅ、２０ｅ…Ｓｕｒｒｏｕｎｎｄ、２０ｆ…Ｖｏｌｕｍｅ、３０…増幅器、４０…内蔵スピーカ、５０…内蔵マイク、６０…表示部。
【図１】
2018033095.tif 000003
【図２】
2018033095.tif 000004
【図３】
2018033095.tif 000005
【図４】
2018033095.tif 000006
【図５】
2018033095.tif 000007
【図６】
2018033095.tif 000008